(57)【要約】【課題】複数のチューナ部から設定対象となるチューナ部を指定する操作を簡単化するときにも、追加するキースイッチの数を１つに抑制する。【解決手段】それぞれが商用放送を受信して映像音声信号を出力する複数のチューナ部１と、入力端子２９に導かれた高周波信号を複数のチューナ部１に分配する分配器１１と、複数のチューナ部１のそれぞれから出力される映像音声信号を同時に記録する映像音声記録部１０とを備えた構成において、リモコン２２に設けられ、操作する毎に、複数のチューナ部１のうちで、受信チャンネルの設定や出力する映像音声信号を記録するかどうかの設定等の設定対象となるチューナ部１が、予め決められた順序に従って切り換わるチューナ切換キー２２１を備えている。【選択図】  図１
2006050168.tif 000002
【特許請求の範囲】
【請求項１】
それぞれが商用放送を受信して映像音声信号を出力する複数のチューナ部と、
装置本体の外部から入力端子に導かれた高周波信号を複数のチューナ部に分配する分配器と、
複数のチューナ部のそれぞれから出力される映像音声信号を同時に記録する映像音声記録部とを備え、
チャンネルアップキーとチャンネルダウンキーと録画キーとが前面パネルに設けられた映像音声記録装置において、
リモートコントローラに設けられ、操作する毎に、複数のチューナ部のうちで、受信チャンネルの設定や出力する映像音声信号を記録するかどうかの設定等の設定対象となるチューナ部が予め決められた順序に従って切り換わるチューナ切換キーと、
複数のチューナ部のそれぞれについて、チューナ部から出力されている映像音声信号が表示装置に表示されているのかどうかと、前記映像音声信号が映像音声記録部に記録中であるのかどうかとを示すチューナ状態表示部と、
前面パネルに設けられ、その個数がチューナ部の数に等しいチューナ選択キーとを備え、
予約録画の設定においては、予約録画のそれぞれに使用するチューナ部を複数のチューナ部のうちから指定可能とし、
既に設定された予約録画と録画時間が少なくとも一部において重複する予約録画の設定において、使用するチューナ部を、前記既に設定された予約録画に使用するチューナ部と同じチューナ部としたときには、チューナ部の使用時間が複数の予約録画において重複することを示すメッセージを表示するとともに、それまでに設定された予約録画における使用時間と重複しないチューナ部が、前記使用するチューナ部として自動で指定され、
チューナ選択キーを操作したときには、操作したチューナ選択キーに対応するチューナ部が前記設定対象となることを特徴とする映像音声記録装置。
【請求項２】
それぞれが商用放送を受信して映像音声信号を出力する複数のチューナ部と、
装置本体の外部から入力端子に導かれた高周波信号を複数のチューナ部に分配する分配器と、
複数のチューナ部のそれぞれから出力される映像音声信号を同時に記録する映像音声記録部とを備えた映像音声記録装置において、
リモートコントローラに設けられ、操作する毎に、複数のチューナ部のうちで、受信チャンネルの設定や出力する映像音声信号を記録するかどうかの設定等の設定対象となるチューナ部が予め決められた順序に従って切り換わるチューナ切換キーを備えたことを特徴とする映像音声記録装置。
【請求項３】
複数のチューナ部のそれぞれについて、チューナ部から出力されている映像音声信号が表示装置に表示されているのかどうかと、前記映像音声信号が映像音声記録部に記録中であるのかどうかとを示すチューナ状態表示部を備えたことを特徴とする請求項２に記載の映像音声記録装置。
【請求項４】
予約録画の設定においては、予約録画のそれぞれに使用するチューナ部を、複数のチューナ部のうちから指定可能としたことを特徴とする請求項２または請求項３に記載の映像音声記録装置。
【請求項５】
既に設定された予約録画と録画時間が少なくとも一部で重複する予約録画の設定において、使用するチューナ部を、前記既に設定された予約録画に使用するチューナ部と同じチューナ部としたときには、チューナ部の使用時間が複数の予約録画において重複することを示すメッセージを表示することを特徴とする請求項４に記載の映像音声記録装置。
【請求項６】
既に設定された予約録画と録画時間が少なくとも一部において重複する予約録画の設定において、使用するチューナ部を、前記既に予約された予約録画に使用するチューナ部と同じチューナ部としたときには、それまでに設定された予約録画における使用時間と重複しないチューナ部が、前記使用するチューナ部として自動で指定されることを特徴とする請求項４または請求項５に記載の映像音声記録装置。
【発明の詳細な説明】
【技術分野】
【０００１】
本発明は、複数のチューナ部のそれぞれから出力される映像音声信号を同時に記録する映像音声記録装置に係り、より詳細には、操作する毎に、複数のチューナ部のうちで、受信チャンネルの設定や出力する映像音声信号を記録するかどうかの設定等の設定対象となるチューナ部が、予め決められた順序に従って切り換わるチューナ切換キーをリモートコントローラに設けた映像音声記録装置に関するものである。
【背景技術】
【０００２】
商用放送を受信して得られた映像音声信号をデジタル化した後、エンコードしてＨＤＤに記録するパーソナルコンピュータが提供されている。詳細には、このパーソナルコンピュータは、マザーボードに設けられた複数のスロットに、同じ構成のテレビチューナカードを２枚挿入した構成となっている。また、挿入されたテレビチューナカードのそれぞれには、チューナと、チューナが出力する映像音声信号をエンコードするエンゴーダとが搭載されている。このため、録画したい２つの番組が同じ時間帯に放送されるようなときでも、２つの番組を、同時にハードディスクドライブに録画することができるようになっている（第１の従来技術とする）。
【０００３】
また、以下に示す技術が提案されている（第２の従来技術とする）。すなわち、１つの画面を、縦方向と横方向とに３台づつ並ぶ９台の表示装置を用いことによって、大画面として表示する場合、９種のビデオ信号を同時に伝送する必要がある。このため、互いに周波数が異なる９種の搬送信号のそれぞれを、９種のビデオ信号のそれぞれでもって変調した後、混合器を介して、１つのアンテナから送信している。一方、受信する側では、９種の搬送信号のそれぞれを受信するため、９台のチューナを設けている。また、受信用のアンテナからの出力を、分配器を用いて９台のチューナのそれぞれに分配している。従って、９台のチューナからは、同時に伝送が必要とされた９種のビデオ信号が出力されることになる（例えば、特許文献１参照）。
【特許文献１】特開平９−１３９９０３号公報
【発明の開示】
【発明が解決しようとする課題】
【０００４】
しかしながら、第１の従来技術を用いる場合には、以下に示す問題を生じていた。すなわち、第１の従来技術は、パーソナルコンピュータに適用された技術となっている。従って、受信するチャンネル等の設定を行うとき、設定対象となるテレビ用チューナを、２枚のテレビチューナカードのうちのどちらのカードに搭載されたテレビ用チューナとするのかについては、テレビ画面とマウスとが使用可能なため、簡単に指定することができる。しかし、ＡＶ機器の一種であり、ハードディスクドライブを記録媒体として用いるＨＤＤレコーダに適用する場合では、マウスを用いることができないので、設定対象となるチューナの指定を簡便に行うことができる構成が求められている。また、搭載するチューナの数を２つより多くするときにも、キースイッチの数の増加を１つに抑制できる構成が求められている。
【０００５】
第２の従来技術は、複数のビデオ信号を同時に伝送するための技術となっている。このため、搭載された複数のチューナのうちから、設定対象となるチューナの指定を簡便に行うことができる構成を求める場合や、搭載するチューナの数を２つより多くするときにも、キースイッチの数の増加を１つに抑制できる構成を求める場合には、適用することが困難な技術となっている。
【０００６】
本発明は、上記の問題点を解決するため創案されたものであり、その目的は、複数のチューナ部から設定対象となるチューナ部を指定する操作を簡単化するときにも、追加するキースイッチの数を１つに抑制することのでき、且つ、複数のチューナ部のそれぞれの使用状態を容易に把握することのでき、且つ、録画時間が重複する予約録画の設定を容易なものにすることのでき、且つ、予約録画を用いて同時に複数の番組を録画するときにも、チューナ部の使用時間の重複が原因となって実行不能となる予約録画が設定されることを防止でき、且つ、複数のチューナ部を用いた予約録画の設定を簡単化することのでき、且つ、リモコンを用いることなく、複数のチューナ部を用いた受信や録画を行うことのできる映像音声記録装置を提供することにある。
【０００７】
また本発明の目的は、操作する毎に、受信チャンネルの設定や出力する映像音声信号を記録するかどうかの設定等の設定対象となるチューナ部が切り換わるチューナ切換キーをリモートコントローラに設けることにより、複数のチューナ部から設定対象となるチューナ部を指定する操作を簡単化するときにも、追加されるキースイッチの数を１つに抑制することのできる映像音声記録装置を提供することにある。
【０００８】
また、上記目的に加え、複数のチューナ部のそれぞれについて、出力した映像音声信号が表示装置に表示されているのかどうかと、記録中であるのかどうかとを示す表示部を備えることにより、複数のチューナ部のそれぞれの使用状態を容易に把握することのできる映像音声記録装置を提供することにある。
【０００９】
また、上記目的に加え、予約録画の設定においては、予約録画のそれぞれに使用するチューナ部を、複数のチューナ部のうちから指定可能とすることにより、録画時間が重複する予約録画の設定を容易なものにすることのできる映像音声記録装置を提供することにある。
【００１０】
また、上記目的に加え、チューナ部の使用時間が複数の予約録画において重複するときには、重複を知らせるメッセージを表示することにより、予約録画を用いて同時に複数の番組を録画するときにも、チューナ部の使用時間の重複が原因となって実行不能となる予約録画が設定されることを防止できる映像音声記録装置を提供することにある。
【００１１】
また、上記目的に加え、チューナ部の使用時間が複数の予約録画において重複するときには、使用時間が重複しないチューナ部を自動で指定することにより、予約録画の設定を簡単化することのできる映像音声記録装置を提供することにある。
【課題を解決するための手段】
【００１２】
上記の課題を解決するため、本発明に係る映像音声記録装置は、それぞれが商用放送を受信して映像音声信号を出力する複数のチューナ部と、装置本体の外部から入力端子に導かれた高周波信号を複数のチューナ部に分配する分配器と、複数のチューナ部のそれぞれから出力される映像音声信号を同時に記録する映像音声記録部とを備え、チャンネルアップキーとチャンネルダウンキーと録画キーとが前面パネルに設けられた映像音声記録装置に適用している。そして、リモートコントローラに設けられ、操作する毎に、複数のチューナ部のうちで、受信チャンネルの設定や出力する映像音声信号を記録するかどうかの設定等の設定対象となるチューナ部が予め決められた順序に従って切り換わるチューナ切換キーと、複数のチューナ部のそれぞれについて、チューナ部から出力されている映像音声信号が表示装置に表示されているのかどうかと、前記映像音声信号が映像音声記録部に記録中であるのかどうかとを示すチューナ状態表示部と、前面パネルに設けられ、その個数がチューナ部の数に等しいチューナ選択キーとを備え、予約録画の設定においては、予約録画のそれぞれに使用するチューナ部を複数のチューナ部のうちから指定可能とし、既に設定された予約録画と録画時間が少なくとも一部において重複する予約録画の設定において、使用するチューナ部を、前記既に設定された予約録画に使用するチューナ部と同じチューナ部としたときには、チューナ部の使用時間が複数の予約録画において重複することを示すメッセージを表示するとともに、それまでに設定された予約録画における使用時間と重複しないチューナ部が、前記使用するチューナ部として自動で指定され、チューナ選択キーを操作したときには、操作したチューナ選択キーに対応するチューナ部が前記設定対象となるようになっている。
【００１３】
すなわち、リモートコントローラに設けられた１つのチューナ切換キーを操作することによって、複数のチューナ部の任意の１つを設定対象に指定することができる。また、チューナ状態表示部においては、チューナ部のそれぞれに関して、出力が表示装置に表示された状態にあるのか、記録状態にあるのかが示される。また、録画時間が重複する予約録画を設定する場合には、予約録画のそれぞれに使用するチューナ部を、互いに異なるチューナ部とすることができる。また、その他の予約録画と使用時間が重複するチューナ部を指定したときには、使用時間が重複していることが示される。また、その他の予約録画を参照して、どのチューナ部が使用時間が重複しないチューナ部となっているのかを調べなくても、使用時間が重複しないチューナ部を指定することができる。また、前面パネルに設けられたチャンネルアップキーやチャンネルダウンキーや録画キーの操作の対象となるチューナ部を、前面パネルに設けられたチューナ選択キーを用いて指定することができる。
【００１４】
また、本発明に係る映像音声記録装置は、それぞれが商用放送を受信して映像音声信号を出力する複数のチューナ部と、装置本体の外部から入力端子に導かれた高周波信号を複数のチューナ部に分配する分配器と、複数のチューナ部のそれぞれから出力される映像音声信号を同時に記録する映像音声記録部とを備えた映像音声記録装置に適用している。そして、リモートコントローラに設けられ、操作する毎に、複数のチューナ部のうちで、受信チャンネルの設定や出力する映像音声信号を記録するかどうかの設定等の設定対象となるチューナ部が予め決められた順序に従って切り換わるチューナ切換キーを備えている。すなわち、リモートコントローラに設けられた１つのチューナ切換キーを操作することによって、複数のチューナ部の任意の１つを設定対象に指定することができる。
【００１５】
また、上記構成に加え、複数のチューナ部のそれぞれについて、チューナ部から出力されている映像音声信号が表示装置に表示されているのかどうかと、前記映像音声信号が映像音声記録部に記録中であるのかどうかとを示すチューナ状態表示部を備えている。すなわち、チューナ状態表示部においては、チューナ部のそれぞれに関して、出力が表示装置に表示された状態にあるのか、記録状態にあるのかが示される。
【００１６】
また、上記構成に加え、予約録画の設定においては、予約録画のそれぞれに使用するチューナ部を、複数のチューナ部のうちから指定可能としている。すなわち、録画時間が重複する予約録画を設定する場合には、予約録画のそれぞれに使用するチューナ部を、互いに異なるチューナ部とすることができる。
【００１７】
また、上記構成に加え、既に設定された予約録画と録画時間が少なくとも一部で重複する予約録画の設定において、使用するチューナ部を、前記既に設定された予約録画に使用するチューナ部と同じチューナ部としたときには、チューナ部の使用時間が複数の予約録画において重複することを示すメッセージを表示するようにしている。すなわち、その他の予約録画と使用時間が重複するチューナ部を指定したときには、使用時間が重複していることが示される。
【００１８】
また、上記構成に加え、既に設定された予約録画と録画時間が少なくとも一部において重複する予約録画の設定において、使用するチューナ部を、前記既に予約された予約録画に使用するチューナ部と同じチューナ部としたときには、それまでに設定された予約録画における使用時間と重複しないチューナ部が、使用するチューナ部として自動で指定されるようになっている。すなわち、その他の予約録画を参照して、どのチューナ部が使用時間が重複しないチューナ部となっているのかを調べなくても、使用時間が重複しないチューナ部を指定することができる。
【発明の効果】
【００１９】
本発明によれば、リモートコントローラに設けられた１つのチューナ切換キーを操作することによって、複数のチューナ部の任意の１つを設定対象とすることができる。また、チューナ状態表示部においては、チューナ部のそれぞれに関して、出力が表示装置に表示された状態にあるのか、記録状態にあるのかが示される。また、録画時間が重複する予約録画を設定する場合には、予約録画のそれぞれに使用するチューナ部を、互いに異なるチューナ部とすることができる。また、その他の予約録画と使用時間が重複するチューナ部を指定したときには、使用時間が重複していることが示される。また、その他の予約録画を参照して、どのチューナ部が使用時間が重複しないチューナ部となっているのかを調べなくても、使用時間が重複しないチューナ部を指定することができる。また、前面パネルに設けられたチャンネルアップキーやチャンネルダウンキーや録画キーの操作の対象となるチューナ部を、前面パネルに設けられたチューナ選択キーを用いて指定することができる。このため、複数のチューナ部から設定対象となるチューナ部を指定する操作を簡単化するときにも、追加するキースイッチの数を１つに抑制することができ、且つ、複数のチューナ部のそれぞれの使用状態を容易に把握することができ、且つ、録画時間が重複する予約録画の設定を容易なものにすることができ、且つ、予約録画を用いて同時に複数の番組を録画するときにも、チューナ部の使用時間の重複が原因となって実行不能となる予約録画が設定されることを防止でき、且つ、複数のチューナ部を用いた予約録画の設定を簡単化することができ、且つ、リモコンを用いることなく、複数のチューナ部を用いた受信や録画を行うことができる。
【００２０】
また、本発明によれば、リモートコントローラに設けられた１つのチューナ切換キーを操作することによって、複数のチューナ部の任意の１つを設定対象にすることができるので、複数のチューナ部から設定対象となるチューナ部を指定する操作を簡単化するときにも、追加するキースイッチの数を１つに抑制することができる。また、複数のチューナ部のうち、録画に使用していないチューナ部の出力を表示装置に表示するときには、録画中であっても、表示される商用放送のチャンネルを変更することができる、という効果も得られることになる。
【００２１】
また、さらに、チューナ状態表示部においては、チューナ部のそれぞれに関して、出力が表示装置に表示された状態にあるのか、記録状態にあるのかが示されるので、複数のチューナ部のそれぞれの使用状態を容易に把握することができる。
【００２２】
また、さらに、録画時間が重複する予約録画を設定する場合には、予約録画のそれぞれに使用するチューナ部を、互いに異なるチューナ部とすることができるので、録画時間が重複する予約録画の設定を容易なものにすることができる。
【００２３】
また、さらに、その他の予約録画と使用時間が重複するチューナ部を指定したときには、使用時間が重複していることが示されるので、予約録画を用いて同時に複数の番組を録画するときにも、チューナ部の使用時間の重複が原因となって実行不能となる予約録画が設定されることを防止できる。
【００２４】
また、さらに、その他の予約録画を参照して、どのチューナ部が使用時間が重複しないチューナ部となっているのかを調べなくても、使用時間が重複しないチューナ部を指定することができるので、予約録画の設定を簡単化することができる。
【発明を実施するための最良の形態】
【００２５】
以下、本発明の実施の形態について図を参照して説明する。
【００２６】
図１は、本発明に係る映像音声記録装置の一実施形態の電気的構成を示すブロック線図であり、具体的には、ハードディスクドライブを記録媒体として、３つの放送を同時に録画することが可能なＨＤＤレコーダを示している。図２は、前面パネルの様子を示す説明図である。
【００２７】
なお、以下における説明では、ａ〜ｃの符号が末尾に付加された符号により示されるブロックに関して、互いを区別する必要がないときにはａ〜ｃの符号を省略し、互いに区別する必要が生じた場合にのみ、符号の末尾にａ〜ｃを付与する。
【００２８】
図において、分配器１１は、装置本体３０の外部から入力端子２９に導かれた高周波信号を、３つのチューナ部１に分配する。３つのチューナ部１のそれぞれは、マイクロコンピュータ（以下では、単にマイコンと称する）１８から指示されたチャンネルの商用放送を受信するとともに、受信して得られた映像音声信号を、それぞれに対応するＡ／Ｄ変換器２に出力する。
【００２９】
３つのＡ／Ｄ変換器２、３つのエンコーダ３、３つのバッファ４、データ制御部１２、ハードディスクドライブ（以下では、ＨＤＤと称する）１３、デコーダ１４、および、Ｄ／Ａ変換器１５を有するブロック１０は、請求項記載の映像音声記録部となっていて、３つのチューナ部１のそれぞれから出力される映像音声信号を、同時に、並行して記録することが可能になっている。なお、以下では、説明を簡明なものとするため、『チューナ部１から出力される映像音声信号』を、単に、『チューナ部１の出力』と称する。
【００３０】
詳細には、Ａ／Ｄ変換器２はチューナ部１から出力されるアナログ信号の映像音声信号を、デジタル信号の映像音声信号に変換する。エンコーダ３は、Ａ／Ｄ変換器２から出力される映像音声信号を所定方式（ＭＰＥＧ２方式、等）で圧縮処理する。バッファ４は、圧縮処理された映像音声信号を一時的に記憶する。
【００３１】
データ制御部１２は、バッファ４に所定量の映像音声信号が記憶されたときには、所定量の映像音声信号が記憶されたバッファ４内の映像音声信号をＨＤＤ１３に送出して記録する。また、ＨＤＤ１３に記録された映像音声信号を再生してデコーダ１４に出力する。デコーダ１４は、データ制御部１２から出力される映像音声信号を伸長処理してＤ／Ａ変換器１５に出力する。Ｄ／Ａ変換器１５は、データ制御部１２より出力されるデジタル信号の映像音声信号を、アナログ信号の映像音声信号に変換し、出力切換部１６に出力する。
【００３２】
出力切換部１６は、３つのチューナ部１のそれぞれの出力と、Ｄ／Ａ変換器１５から出力される映像音声信号との４つの信号のうちから、マイコン１８によって指示された映像音声信号を選択して、外部に設けられたテレビ受像機（表示装置）２５に出力する。
【００３３】
操作部２１は、装置本体３０の前面パネル３０１に設けられたキースイッチ群であり、ユーザの操作が入力される。詳細には、電源キー３４、チャンネルダウンキー３２ｄ、チャンネルアップキー３２ｕ、再生キー３５、停止キー３６、録画キー３１、および、３つのチューナ選択キー５を含んでいる（その他のキースイッチについては、図示が省略されている）。チャンネルダウンキー３２ｄ、および、チャンネルアップキー３２ｕは、チューナ部１の受信チャンネルを変更するとき、操作される。録画キー３１は、チューナ部１の出力をＨＤＤ１３に記録させるとき、操作される。
【００３４】
チューナ選択キー５は、３つのチューナ部１のうちから、設定の対象となるチューナ部１を選択するとき、操作される。すなわち、例えば、チューナ選択キー５ａを操作したときにはチューナ部１ａが選択され、チャンネルダウンキー３２ｄやチャンネルアップキー３２ｕの操作は、チューナ部１ａが受信するチャンネルを変更する。また、チューナ選択キー５ａを操作した後、録画キー３１を押したときには、チューナ部１ａの出力がＨＤＤ１３に記録される。また、チューナ選択キー５ａを操作した後、停止キー３６を押したときには、チューナ部１ａの出力がＨＤＤ１３に記録中である場合には、この記録動作を停止させる（チューナ部１ａの出力がＨＤＤ１３に記録されていないときでは、この操作は無視される）。
【００３５】
表示器１９は、前面パネル３０１に設けられた表示装置であり、再生されるプログラムの番号や、再生位置を示す時間情報、等が表示される。チューナ状態表示部２０は、３つのチューナ部１のそれぞれについて、チューナ部１の出力がテレビ受像機２５に表示されているのかどうかと、前記出力が映像音声記録部１０に記録中であるのかどうかとを示す。このため、緑のＬＥＤ４１とオレンジ色のＬＥＤ４２とを備えている。
【００３６】
ＬＥＤ４１ａは、チューナ部１ａの出力がテレビ受像機２５に表示されているとき点灯され、ＬＥＤ４１ｂは、チューナ部１ｂの出力がテレビ受像機２５に表示されているとき点灯され、ＬＥＤ４１ｃは、チューナ部１ｃの出力がテレビ受像機２５に表示されているとき点灯される。また、ＬＥＤ４２ａは、チューナ部１ａの出力が映像音声記録部１０に記録中であるとき点灯され、ＬＥＤ４２ｂは、チューナ部１ｂの出力が映像音声記録部１０に記録中であるとき点灯され、ＬＥＤ４２ｃは、チューナ部１ｃの出力が映像音声記録部１０に記録中であるとき点灯される。従って、ＬＥＤ４１については、同時に２つ以上が点灯されることはないが、ＬＥＤ４２については、１つのみ、あるいは、同時に２つ、あるいは、同時に３つが点灯されることになる。
【００３７】
受光器１７は、リモートコントローラ（以下では、単にリモコンと称する）２２から送信される赤外線信号を受光するとともに、受光信号を所定処理することによって、リモコン２２において操作されたキースイッチを示す信号をマイコン１８に出力する。リモコン２２は、電源キー、録画キー、チャンネルアップキー、チャンネルダウンキー、数字キー、等を備えるとともに、チューナ切換キー２２１を備えている。
【００３８】
チューナ切換キー２２１は、３つのチューナ部１のうち、どのチューナ部１を設定の対象とするかを選択するためのキースイッチであり、押下する毎に、設定の対象として選択されるチューナ部１が、チューナ部１ａからチューナ部１ｂ、チューナ部１ｂからチューナ部１ｃ、チューナ部１ｃからチューナ部１ａに変化する。すなわち、１つのキースイッチのみでもって、３つのチューナ部１のうち、どのチューナ部１を設定の対象とするかを指定可能にしている。
【００３９】
マイコン１８は、ＨＤＤレコーダとしての主要動作を制御する。すなわち、操作部２１やリモコン２２に入力されたユーザの操作に対応して、チューナ部１が受信するチャンネルを制御する。また、ユーザによって指定されたチューナ部１の出力を映像音声記録部１０に記録する。また、予約録画の受け付け、および、予約録画の実行を行う。
【００４０】
なお、予約録画の設定となる場合、マイコン１８は、デコーダ１４の内部に設けられたオンスクリーンディスプレイ回路（図示を省略）を制御することによって、図３に示したように、月日（あるいは、曜日、または、月曜〜金曜の通し）６１、録画の開始時刻６２と終了時刻６３、受信するチャンネル６４、記録モード６５、および、使用するチューナ部６６を設定するための画面をテレビ受像機２５に表示する。
【００４１】
そして、図７（Ａ）に示したように、既に設定された予約録画７１と録画時間が少なくとも一部において重複する予約録画７２に使用するチューナ部を、前記の既に設定された予約録画７１に使用するチューナ部（１ｂ）と同じチューナ部を指定したときには、同図（Ｂ）の６８により示したように、チューナ部の使用時間が重複していることを示すメッセージを表示する。且つ、使用時間が重複しないチューナ部（１ｃ）を自動で選択して、チューナ部設定欄に表示する（７５により示す）。
【００４２】
図４は、チューナ部の設定を行うときの実施形態の主要動作を示すフローチャートである。必要に応じて同図を参照しつつ、実施形態の動作を説明する。
【００４３】
いま、チューナ部１ａの出力がテレビ受像機２５に表示されているとする。また、３つのチューナ部１の出力の全ては記録されていないとする。このときでは、３つのＬＥＤ４１のうち、ＬＥＤ４１ａが点灯され、チューナ部１ａの出力がテレビ受像機２５に表示されていることが示される。また、３つのＬＥＤ４２の全ては消灯状態にある。この状態を初期状態と称する。
【００４４】
いま、初期状態にあるとする。チューナ切換キー２２１を操作すると、マイコン１８は、設定対象となるチューナ部１を、予め決められた順序に従って切り換える。このため、設定対象となるチューナ部１は、チューナ部１ａからチューナ部１ｂに切り換わる（ステップＳ１，Ｓ２）。そして後、設定対象となるチューナ部１が、チューナ部１ａからチューナ部１ｂに切り換わったことを示すため、ＬＥＤ４１ａを消灯し、ＬＥＤ４１ｂを点灯する（ステップＳ３）。また、チューナ部１ｂから出力される映像音声信号をテレビ受像機２５に表示する（ステップＳ４）。
【００４５】
また、初期状態にあるとき、チューナ選択キー５ｃを操作すると、マイコン１８は、設定対象となるチューナ部１を、チューナ部１ａからチューナ部１ｃに変更する（ステップＳ５，Ｓ６）。そして後、設定の対象となるチューナ部１が、チューナ部１ａからチューナ部１ｃに変更されたことを示すため、ＬＥＤ４１ａを消灯し、ＬＥＤ４１ｃを点灯する（ステップＳ７）。また、チューナ部１ｃから出力される映像音声信号をテレビ受像機２５に表示する（ステップＳ８）。
【００４６】
また、初期状態にあるときに、チャンネルアップキー３２ｕやチャンネルダウンキー３２ｄ、あるいは、リモコン２２の数字キーを操作した場合、チューナ部１ａが受信するチャンネルが変更される（チューナ部１ｂやチューナ部１ｃが受信するチャンネルは変更されない）（ステップＳ１１，Ｓ１２）。
【００４７】
また、初期状態にあるときに、録画キー３１を操作すると、映像音声記録部１０において、チューナ部１ａの出力の記録が開始される（チューナ部１ｂやチューナ部１ｃの出力は記録されない）（ステップＳ１３，Ｓ１４）。また、チューナ部１ａに対応するＬＥＤ４２ａが点灯され、チューナ部１ａの出力が記録されていることが示される（ステップＳ１５）。
【００４８】
上記状態において、チューナ切換キー２２１の操作、あるいは、チューナ選択キー５ｂの操作によって、設定対象となるチューナ部１を、チューナ部１ａからチューナ部１ｂに変更したとする。この状態において、録画キー３１を操作すると、チューナ部１ｂの出力の記録が開始される（ステップＳ１３，Ｓ１４）。また、ＬＥＤ４２ｂが点灯される（ステップＳ１５）。その結果、２つのＬＥＤ４２ａ，４２ｂが点灯され、チューナ部１ａの出力とチューナ部１ｂの出力とが、映像音声記録部１０において記録中であることが示される。
【００４９】
さらに、チューナ切換キー２２１の操作、あるいは、チューナ選択キー５ｃの操作によって、設定対象となるチューナ部１を、チューナ部１ｂからチューナ部１ｃに変更した後、録画キー３１を操作すると、チューナ部１ｃの出力の記録が開始される（ステップＳ１３，Ｓ１４）。また、ＬＥＤ４２ｃが点灯される（ステップＳ１５）。その結果、３つのＬＥＤ４２ａ，４２ｂ，４２ｃが点灯され、３つのチューナ部１ａ，１ｂ，１ｃの出力の全てが、映像音声記録部１０において、同時に記録中であることが示される。
【００５０】
上記状態において、停止キー３６を操作すると、チューナ部１ｃの出力の記録が停止される（ステップＳ２１，Ｓ２２）。また、ＬＥＤ４２ｃが消灯される（チューナ部１ａおよびチューナ部１ｂの出力の記録は継続される）（ステップＳ２３）。
【００５１】
なお、上記したキースイッチ（チューナ切換キー２２１、チューナ選択キー５、チャンネル変更のためのキー、録画キー３１、停止キー３６）とは異なるキースイッチを操作した場合、操作したキースイッチに対応する動作が実行される（ステップＳ２４，Ｓ２５）。
【００５２】
以上、説明したように、チャンネルアップキー３２ｕ、チャンネルダウンキー３２ｄ、録画キー３１、および、停止キー３６が設けられた前面パネル３０１に、さらに、チューナ選択キー５を設けたことにより、リモコン２２を無くしたときにも、これらのキースイッチを操作することで、３つのチューナ部１の出力を、好みに応じて、テレビ受像機２５に表示したり、映像音声記録部１０に記録したりすることができる。
【００５３】
なお、操作するキースイッチについては、前面パネル３０１に設けられたキースイッチ（チューナ切換キー２２１を除く）としているが、リモコン２２に設けられた、同じ動作を指示するキースイッチを操作したときにも、同様の動作が実行される。
【００５４】
図５、図６は、予約録画の設定時の実施形態の主要動作を示すフローチャートである。必要に応じて同図を参照しつつ、実施形態の動作を説明する。
【００５５】
リモコン２２に設けられた設定キー、等を操作することによって、予約録画の設定を指示すると、図３に示したように、６１〜６６の６つの設定項目の入力を求める画面が表示される（ステップＳ３１，Ｓ３２）。そして、各項目６１〜６６の設定を行った後、決定キー（図示を省略）を操作すると、１つの予約録画の設定が終了する（ステップＳ３３，Ｓ３４）。
【００５６】
決定キーが操作されて、１つの予約録画の設定が終了すると、マイコン１８は、このとき設定が終了した予約録画に使用されるチューナ部１が、その他の予約録画において使用されるチューナ部１と同じであるときには、使用する時間が重複していないかどうかを調べる（ステップＳ３５）。重複していない場合には、予約録画の設定を終了するかどうかが調べられ、終了しないときには、動作は、ステップＳ３６，Ｓ３７からステップＳ３３に移行し、次の予約録画の設定に移行する。
【００５７】
上記動作が繰り返されることによって、図７（Ａ）に示す予約番号『１』から予約番号『３』までの３つの予約録画の設定が完了した後、予約番号『４』の設定（７２により示す）が行われ、予約番号『４』の設定の完了を示す決定キーが操作されたとする。決定キーが操作されると、予約番号『４』の予約録画に使用されるチューナ部１ｂが、その他の予約録画にも使用されている場合には、使用時間が重複していないかどうかが調べられる。このときでは、予約番号『３』の予約録画にチューナ部１ｂが使用されており、且つ、使用時間が重複している。
【００５８】
従って、このときでは、動作は、ステップＳ３６からステップＳ４１に移行する。そして、予約番号『４』の使用時間である６月７日の午後８時０分から午後１０時０分までの間において、使用されていないチューナ部１があるかどうかを調べる。このときでは、使用されていないチューナ部１として、チューナ部１ｃが見つかる。このため、マイコン１８は、予約番号『４』の設定におけるチューナ部の項目を、チューナ部１ｃに自動で変更する（ステップＳ４２，Ｓ４３）。
【００５９】
このため、予約番号『４』の予約録画のチューナ部の項目には、チューナ部１ｃを示す『ＴＵＮＥＲ  ｃ』が表示される（７５により示す）。また、このとき、ユーザが設定したチューナ部１ｂは、既に設定された予約録画の使用時間と重複していて、使用できないことを示すメッセージ（６８により示す）を表示する（ステップＳ４４）。また、使用するチューナ部１を、チューナ部１ｂからチューナ部１ｃに変更したことを示すメッセージ（６９により示す）を表示する（ステップＳ４５）。そして後、動作をステップＳ３３に移行する。
【００６０】
なお、ステップＳ４１において、使用時間が重複しないチューナ部１があるかどうかを調べたとき、使用時間が重複しないチューナ部１が見つからなかったときには、動作は、ステップＳ４２からステップＳ４６に移行して、使用時間が重複しないチューナ部１がないので、予約録画を設定することができない旨を示すメッセージを表示する。そして後、動作をステップＳ３３に移行する。
【００６１】
なお、本発明は上記実施形態に限定されず、チューナ状態表示部２０については、チューナ部１のそれぞれ毎に２つのＬＥＤ４１，４２を設けた構成とした場合について説明したが、例えば、緑色の発光ダイオードと赤色の発光ダイオードとが１つの本体の内部に設けられた素子等のように、１つの本体の内部に互いに発光色が異なる２つの発光ダイオードが設けられた素子を使用した構成とすることができる。
【００６２】
そして、この構成とするときでは、緑の発光ダイオードのみを点灯する（緑に発光する）ことによって、映像音声信号がテレビ受像機２５に表示されていることを示し、赤の発光ダイオードのみを点灯する（赤に発光する）ことによって、映像音声信号が映像音声記録部１０において記録中であることを示し、緑の発光ダイオードと赤の発光ダイオードとの双方を点灯する（橙に発光する）ことによって、映像音声信号がテレビ受像機２５に表示され且つ映像音声記録部１０において記録中であることを示すようにすることができる（なお、素子の発光色とチューナ部１の３つの状態との組み合わせは、その他の任意の組み合わせとすることができる）。
【００６３】
また、映像音声記録部１０については、ＨＤＤ１３を記録媒体とした場合について説明したが、高速にデータの書き込みが可能な場合には、記録媒体を光ディスクとした構成や、その他の任意の記録媒体を用いた構成とすることができる。
【図面の簡単な説明】
【００６４】
【図１】本発明に係る映像音声記録装置の一実施形態であるＨＤＤレコーダの電気的構成を示すブロック線図である。
【図２】装置本体の前面パネルの状態を示す説明図である。
【図３】予約録画における設定項目を示す説明図である。
【図４】チューナ部の受信チャンネル等の設定を行うときの実施形態の主要動作を示すフローチャートである。
【図５】予約録画の設定時の実施形態の主要動作を示すフローチャートである。
【図６】予約録画の設定時の実施形態の主要動作を示すフローチャートである。
【図７】予約録画の設定時の表示内容を示す説明図である。
【符号の説明】
【００６５】
１ａ〜１ｃ  チューナ部
５ａ〜５ｃ  チューナ選択キー
１０  映像音声記録部
１１  分配器
２０  チューナ状態表示部
２２  リモートコントローラ
２５  テレビ受像機（表示装置）
２９  入力端子
３０  装置本体
３１  録画キー
３２ｄ  チャンネルダウンキー
３２ｕ  チャンネルアップキー
４１ａ〜４１ｃ，４２ａ〜４２ｃ  チューナ状態表示部を構成するＬＥＤ
２２１  チューナ切換キー
３０１  前面パネル
【図１】
2006050168.tif 000003
【図２】
2006050168.tif 000004
【図３】
2006050168.tif 000005
【図４】
2006050168.tif 000006
【図５】
2006050168.tif 000007
【図６】
2006050168.tif 000008
【図７】
2006050168.tif 000009